(57)【特許請求の範囲】
【請求項１】
生物からの浸出物を内部に吸収および保持するために前記生物によって着用される製品に用いるための吸収性アセンブリであって、前記吸収性アセンブリはコアを有しており、前記コアは、
ａ）その中を流体が移動できるように構成された多孔質材料のウェブから形成されている第１部分であって、前記第１部分の多孔質材料のウェブは、キルティング加工されるとともに、前記第１部分のポケットの各々に配置された複数の遅効性だが高吸収容量の高吸水性ポリマー（ＳＡＰ）を含有しており、これにより前記キルティング加工された第１部分のポケットが、前記第１部分のＳＡＰを前記コアに対して移動しないようにする第１部分と、
ｂ）前記第１部分より下方に位置し、その中を流体が移動できるように構成された多孔質材料のウェブから形成されている第２部分であって、前記第２部分の多孔質材料のウェブは、キルティング加工されるとともに、前記第２部分のポケットの各々に配置された複数の速効性だが低吸収容量のＳＡＰを含有しており、これにより前記キルティング加工された第２部分のポケットが、前記第２部分のＳＡＰを前記コアに対して移動しないようにする第２部分と、
前記コアの第１部分と前記コアの第２部分とは互いに流体が流れるように連通しており、
前記吸収性アセンブリは生物によって着用されるように構成されており、前記コアの第１部分は前記生物の会陰領域に向かい合って配置される身体に面する側面を形成し、かつ、前記コアの第２部分は前記生物の会陰領域から離反して配置される遠隔側面を形成しており、これにより前記生物によって排泄される流体は前記速効性ＳＡＰおよび前記遅効性ＳＡＰに流れ、前記流体は前記速効性ＳＡＰによって直ちに迅速に吸収され、一方、前記遅効性ＳＡＰは、前記流体自体を吸収するとともに、前記速効性ＳＡＰから流体を脱着するか、または奪い去り、
ｃ）前記第１部分および第２部分の最大幅よりも狭い所定の幅を有し、かつ、前記第１部分と前記第２部分との間に位置して、該第１部分と第２部分との間の流体移送を容易にする、不織布からなる中間流体移送層と、を備えている、吸収性アセンブリ。
【請求項２】
前記コアのキルティング加工された第１部分の多孔質材料は不織布材料を含み、前記コアのキルティング加工された第２部分の多孔質材料は不織布材料を含んでいる、請求項１に記載の吸収性アセンブリ。
【請求項３】
前記コアのキルティング加工された第１部分および第２部分は、超音波エンボス加工されている、請求項１に記載の吸収性アセンブリ。
【請求項４】
前記キルティング加工された第１部分の不織布材料は、スパンボンドポリプロピレンから形成されており、前記キルティング加工された第２部分の不織布材料は、スパンボンドポリプロピレンから形成されている、請求項１に記載の吸収性アセンブリ。
【請求項５】
前記コアは高吸水性繊維（ＳＡＦ）をさらに含んでいる、請求項１に記載の吸収性アセンブリ。
【請求項６】
前記コアのまわりに配置された非吸収性流体透過性包装体をさらに備えている、請求項１に記載の吸収性アセンブリ。
【請求項７】
前記包装体は熱可塑性繊維網を含んでいる、請求項６に記載の吸収性アセンブリ。
【請求項８】
前記熱可塑性繊維網はスパンボンドポリプロピレン不織布材料を含んでいる、請求項７に記載の吸収性アセンブリ。
【請求項９】
前記包装体は、前記身体に面する側面において２倍の厚さの層を提供するように重ね合わせられている、請求項６に記載の吸収性アセンブリ。
【請求項１０】
そのまわりに前記包装体を有するコアは複数の個別のポケットにキルティング加工され、前記ポケットの各々は前記コアを通るＳＡＰ移動を最小限にするか、または防止するように機能する、請求項６に記載の吸収性アセンブリ。
【請求項１１】
前記キルティング加工された包装体は、複数の接合線によって形成されており、前記接合線の接合強度は、ＳＡＰが流体を吸収する前にＳＡＰが各々のポケットからの退出を得ることを保証するのに十分に強いが、ＳＡＰが流体を吸収し膨潤したときには破断するほど十分に弱い、請求項１０に記載の吸収性アセンブリ。
【請求項１２】
前記包装体の下に配置された流体収集層をさらに備えている、請求項６に記載の吸収性アセンブリ。
【請求項１３】
前記吸収性アセンブリが使い捨て下着の一部を形成している、請求項１に記載の吸収性アセンブリ。
【請求項１４】
流体収集層をさらに備えている、請求項１３に記載の吸収性アセンブリ。
【請求項１５】
前記流体収集層は前記コアの身体に面する側面上に配置されている、請求項１４に記載の吸収性アセンブリ。
【請求項１６】
前記コアの遠隔側面に吸収性流体処理層をさらに備えている、請求項１４に記載の吸収性アセンブリ。
【請求項１７】
前記吸収性流体処理層は、吸収性ティシュー、エアレイド、または軟質化されたか、もしくは軟化された非繊維化パルプシートを備えている、請求項１６に記載の吸収性アセンブリ。
【請求項１８】
前記コアの遠隔側面に吸収性流体処理層をさらに備えている、請求項１３に記載の吸収性アセンブリ。
【請求項１９】
包装された前記コアは、複数の山および谷を有する波形体または他の場合には波状体に形成されている、請求項１３に記載の吸収性アセンブリ。
【請求項２０】
前記吸収性アセンブリは、前記谷において前記使い捨て下着に固定されている、請求項１９に記載の吸収性アセンブリ。
【請求項２１】
前記下着は、前記アセンブリ中に捕捉された任意の流体の臭気を低減するか、またはそのような臭気を隠蔽するためのマイクロカプセル化粒子を含んでいる、請求項１３に記載の吸収性アセンブリ。
【請求項２２】
前記マイクロカプセル化粒子は望ましい香料を含有している、請求項２１に記載の吸収性アセンブリ。
【請求項２３】
前記香料のすべてが前記吸収性アセンブリによる初期の流体吸収の際には放出されないが、後続の流体吸収の際には放出されるように、前記マイクロカプセル化粒子は少なくとも２レベルのカプセル化を有している、請求項２２に記載の吸収性アセンブリ。
【請求項２４】
前記下着は抗微生物処理剤を含有している、請求項１３に記載の吸収性アセンブリ。
【請求項２５】
前記抗微生物処理剤は銀元素または銀複合体を含有している、請求項２４に記載の吸収性アセンブリ。
【請求項２６】
前記使い捨て下着は、前記吸収性アセンブリが着用者からの流体を吸収した時を示す濡れ検知器を備えている、請求項１３に記載の吸収性アセンブリ。
【請求項２７】
前記濡れ検知器は電子濡れ検出システムの一部を構成している、請求項２６に記載の吸収性アセンブリ。
【請求項２８】
シャーシ、吸収コアおよびサスペンションシステムを備えた使い捨て吸収性下着であって、前記シャーシは布状の不織通気性材料のシートを含んでおり、前記シートは、前部、後部、および中間部を有しており、前記前部は、前上縁部と、一対の前側縁部とを含んでおり、前記後部は、後上縁部と、一対の後側縁部とを含んでおり、前記中間部は一対の中央側縁部を含んでおり、前記中央側縁部の各々は、ブリーフの各脚開口部を形成するために人間工学的に賦形された凹部を備えており、前記吸収コアは前記中間部において前記シート上に位置しており、前記サスペンションシステムは複数の弾性部を備えており、前記弾性部の各々は、頂端部と、前記頂端部のほぼ反対に配置された末端部とを備えており、前記末端部の幅は前記頂端部の幅より大きく、前記弾性部は前記頂端部と前記末端部との間で伸縮可能であり、前記弾性部が引き伸ばされるときの伸縮力は頂端部において集中して、前記末端部の幅に沿って広がり、前記弾性部の第１部分は前記シートに固定されており、前記第１部分の頂端部は前記シートの第１側縁部の凹部に位置しており、前記第１部分の末端部は前記第１側縁部に隣接した前記シートの前上縁部において終了し、前記弾性部の第２部分は前記シートに固定されており、前記第２部分の頂端部は前記シートの第２側縁部の凹部に位置しており、前記第２部分の末端部は前記第２側縁部に隣接した前記シートの前上縁部において終了し、前記弾性部の第３部分は前記シートに固定されており、前記第３部分の頂端部は前記シートの第１側縁部の凹部に位置しており、前記第３部分の末端部は前記第１側縁部に隣接した前記シートの後上縁部において終了し、前記弾性部の第４部分は前記シートに固定されており、前記第４部分の頂端部は前記シートの第２側縁部の前記凹部に位置しており、前記第４部分の末端部分は前記第２側縁部に隣接した前記シートの後上縁部において終了し、前記弾性部の各々は扇形配列に配置された複数の弾性繊維を含んでおり、前記繊維は前記頂端部から前記末端部に向かって互いから分岐しており、これにより前記サスペンションシステムは、前記下着が着用されるときに、前記シャーシを前記脚開口部から前記上端部に向かって引き上げる、使い捨て吸収性下着。
【請求項２９】
前記吸収コアは繊維間に多数の介在空間を有する複数の繊維を含んでおり、前記コアは第１部分および第２部分を有しており、前記第１部分は、前記コアの第１部分の介在空間と流体が流れるように連通する遅効性だが高吸収容量のＳＡＰを含有しており、前記第２部分は、前記コアの第２部分の介在空間と流体が流れるように連通する複数の速効性だが低吸収容量のＳＡＰを含有しており、前記第１部分は前記第２部分と流体が流れるように連通しており、前記コアの第１部分は身体に面する側面を形成しており、前記コアの第２部分は前記シートに固定されており、これにより前記生物によって排泄された流体は前記速効性ＳＡＰおよび前記遅効性ＳＡＰに吸い上げられ、前記流体は、前記速効性ＳＡＰによって直ちに迅速に吸収され、一方、前記遅効性ＳＡＰは前記速効性ＳＡＰから流体を脱着するか、または奪い去る、請求項２８に記載の使い捨て吸収性下着。
【請求項３０】
生物からの浸出物を内部に吸収および保持するために前記生物によって着用される製品に用いるための吸収性アセンブリであって、前記吸収性アセンブリは、第１部分および第２部分を有するコアを備えており、前記第１部分は、その中を流体が移動できるように構成された多孔質材料のウェブから形成されており、前記第１部分の多孔質材料は不織布材料を含み、前記第１部分の多孔質材料のウェブはキルティング加工されるとともに、前記第１部分のポケットの各々に配置された複数の遅効性だが高吸収容量の高吸水性ポリマー（ＳＡＰ）を含有しており、これにより前記キルティング加工された第１部分のポケットが、前記第１部分のＳＡＰを前記コアに対して移動しないようにし、前記第２部分は多孔質材料のウェブから形成されており、前記第２部分の多孔質材料は、その中を流体が移動できるように構成された不織布材料を含み、前記第２部分の多孔質材料のウェブは、キルティング加工されるとともに、前記第２部分のポケットの各々に配置された複数の速効性だが低吸収容量のＳＡＰを含有しており、これにより前記キルティング加工された第２部分のポケットが、前記第２部分のＳＡＰを前記コアに対して移動しないようにし、前記コアの第１部分と前記コアの第２部分とは互いに流体が流れるように連通しており、前記吸収性アセンブリは生物によって着用されるように構成されており、前記コアの第１部分は前記生物の会陰領域に向かい合って配置される身体に面する側面を形成し、かつ、前記コアの第２部分は前記生物の会陰領域から離反して配置される遠隔側面を形成しており、これにより前記生物によって排泄される流体は前記速効性ＳＡＰおよび前記遅効性ＳＡＰに流れ、前記流体は前記速効性ＳＡＰによって直ちに迅速に吸収され、一方、前記遅効性ＳＡＰは、前記流体自体を吸収するとともに、前記速効性ＳＡＰから流体を脱着するか、または奪い去り、前記キルティング加工された第１部分の不織布材料は複数の繊維から形成されており、前記キルティング加工された第２部分の不織布材料は複数の繊維から形成されており、前記繊維は、それにより流体の流れに対する繊維の抵抗を増大させるために、円形または楕円形の繊維に比較して増大した表面積を有する断面形状を有しており、それによって半径方向の流体の吸い上げを遅延させ、かつ、長手方向における流体の吸い上げを促進し、
前記コアが、前記第１部分および第２部分の最大幅よりも狭い所定の幅を有し、かつ、前記第１部分と前記第２部分との間に位置して、該第１部分と第２部分との間の流体移送を容易にする、不織布からなる中間流体移送層をさらに有している、吸収性アセンブリ。
【発明の詳細な説明】
【技術分野】
【０００１】
本発明は概して、使い捨て吸収性物品、特に使い捨て吸収性下着、例えば成人用ブリーフ（ａｄｕｌｔ  ｂｒｉｅｆｓ、男性および女性用下穿き）、保護下着、尿漏れパッド（ｂｌａｄｄｅｒ  ｃｏｎｔｒｏｌ  ｐａｄｓ）、乳幼児用おむつ（ｂａｂｙ  ｄｉａｐｅｒｓ）等に関する。
【背景技術】
【０００２】
今日、市場に存在する従来の成人用使い捨て吸収性製品、例えば成人用ブリーフは、繊維化され漂白された木材フラッフパルプ（ｆｉｂｅｒｉｚｅｄ  ｂｌｅａｃｈｅｄ  ｗｏｏｄ  ｆｌｕｆｆ  ｐｕｌｐ）とＳＡＰ（Ｓｕｐｅｒ  Ａｂｓｏｒｂｅｎｔ  Ｐｏｌｙｍｅｒ：高吸水性ポリマー）との混合物として知られているものを吸収コアに用いている。パルプに対するＳＡＰの比率が３０％以下の低い比率では、前記コア混合物は、ＳＡＰがばらばらになったり、またはコアから脱落したりするのを防止するために、吸収性ティシュー内に包装されていてもよいし、または包装されていなくてもよい。ＳＡＰが５０％以上の高いレベルでは、コアは、緩んだＳＡＰが抜け出るのを防止するために包装されなければならない。また、より重いＳＡＰ粒子がフラッフパルプ繊維から分離されるのを防止するために、コア接着剤が添加されてもよい。これは、幼児サイズの使い捨て吸収性製品において用いられる今日の最先端技術である。これらの製品中のパルプ繊維は、ＳＡＰがフラッフ繊維を脱着して、フラッフ繊維を次の浸出物に対して準備させることができるまで、体液浸出物を迅速に処理することを要求される。幼児に関して、幼児の体は、最大で１５０ｍＬ（グラム）の尿を生成し、その尿を約７０秒にわたって吸収コアに排出する。この排出速度は、急速に始まって最初の５秒前後の後に毎秒約１０〜１５ｍＬに達し、次いで徐々にゼロまで低下し得る。大人に関しては、浸出物の量がはるかに多く、容易に３００ｍＬ以上を超える可能性があり、７０秒を超える時間間隔にわたって幼児が排泄するのと同様、またはそれを下回る速度で排出される。
【０００３】
木材フラッフパルプを含有する、またはさらにティシューもしくはエアレイドで包装されている従来の吸収性製品に関する重大な問題は、すべての場合において、それらの構造が、排泄された流体を受容した後に、身体に濡れを感じさせるコアをもたらすことである。この濡れ感は、綿のＴシャツを着用していて、そのＴシャツが濡れてしまい、その後、乾いたシャツに着替えるべきところをしばらく後までその濡れた綿のＴシャツを着用し続けるという感覚に似ている。この濡れ感に対処するために、ほとんどすべての従来の吸収性製品の設計は、「より乾燥を感じさせる」層を形成する試みとして、「濡れたコア」の上面上に合成繊維の離間層（ｄｉｓｔａｎｃｉｎｇ  ｌａｙｅｒ）を用いている。この合成離間層は、多くの場合、「流体移送層」、「流体収集層」、または「収集分配層（ａｃｑｕｉｓｉｔｉｏｎ  ｄｉｓｔｒｉｂｕｔｉｏｎ  ｌａｙｅｒ：ＡＤＬ）」と呼ばれ、典型的にはそのような層が被覆するコアよりもはるかに小さく、コアの縁部を露出させたままにする。さらに、それらの設計目標にもかかわらず、そのような流体収集層は限られた程度にしか作用しない。この点に関して、浸出物は摂氏３７度（華氏９８度）で身体から退出するが、浸出物は、吸収性製品のコアに進入すると、摂氏約３２度（華氏約９０度）まで急速に低下する。これは皮膚に触れたときに冷却効果をもたらし、その効果は着用している間じゅう増大する。長期間にわたって放置した場合には、濡れた製品は熱平衡に達し、周囲温度および着用している衣服に応じて、室温と摂氏約３２度（華氏約９０度）との間のどこかで平衡に達する。この差は、浸出物を吸収するために選択された材料の熱伝導率に応じてさらに悪化する。しかしながら、すべての場合において、前記製品が長く着用されるほど、従来の木材パルプフラッフ吸収性製品は濡れおよび／または冷たさを皮膚に感じさせる。
【０００４】
合成吸収コアに関する現在の最先端の製品設計は、高吸水性粒子（ｓｕｐｅｒａｂｓｏｒｂｅｎｔ  ｐａｒｔｉｃｌｅｓ：ＳＡＰ）を層間に有する合成長繊維マトリックスに基づく。例えば、たばこフィルタの製造に用いられるトウに類似したポリプロピレンのトウ繊維が選択された。この材料は連続した形態で購入され、ボックスから引き出され、エアトランペットまたは同様の装置などに進入して、繊維トウマトリックスに拡張する。次に、ＳＡＰ粒子が混ぜ合わせられ、その繊維ＳＡＰマトリックスに接着剤が噴霧され、マトリックス全体が包装されて、従来の「パルプレス」コア技術の最新技術であるものを生じる。この種のコアは、遅い吸収速度（ａｂｓｏｒｂｅｎｃｙ  ｒａｔｅ）という主な制限を有する。その速度は、選択したＳＡＰと、ＳＡＰをトウ繊維マトリックスに付着させるのに必要とされる接着剤の種類および量とに大きく依存する。例えば、ＳＡＰがコア内のその所望の位置にとどまるように十分な接着剤が提供される場合、その接着剤はＳＡＰ粒子の一部を被覆するためにＳＡＰの吸収膨潤（ａｂｓｏｒｂｅｎｔ  ｓｗｅｌｌｉｎｇ）を制限する。用いる接着剤が少ない場合には、ＳＡＰによる浸出物のより大きな膨潤および吸収が可能となるが、ＳＡＰ粒子がコア内におけるそれらの位置から股領域の底部に落下するのを許してしまい、排泄されたときに股領域においてそれをより重くし、より湿らせ、最終的に吸収性を低下させる。
【０００５】
従来のパルプレスコア技術の別の例は、裏面シートに、または上面もしくは身体に対面するシートの内側に、ＳＡＰを接着している。この接着プロセスは、ＳＡＰが浸出物を吸収するために十分に膨張して用いられることを制限する。
【０００６】
従来のＳＡＰの制限事項は、速度がより遅いという不都合を有する高い吸収容量（ａｂｓｏｒｂｅｎｔ  ｃａｐａｃｉｔｙ）か、またはより低い吸収容量を有する速いＳＡＰかのどちらかを選択しなければならないことである。従来のＳＡＰが混合される場合には、速効性ＳＡＰは非常に迅速に膨潤し、より遅効性だがより高吸収容量のＳＡＰを「ゲルーブロック」する。ゲル−ブロックが起こると、より高容量のＳＡＰが、より速いがより低容量のＳＡＰを脱着するのを制限したり、または妨げたりさえする。
【０００７】
過去において、非ＳＡＰバージョンを有するものとして、単一のＳＡＰを有するアセテート繊維コアが開発され、市販されていた。従来のポリプロピレンフィラメントトウ技術もまた吸収コアに用いられてきた。
【０００８】
この点に関して、今日、市場において用いられるそのようなポリプロピレントウコアは円形または楕円形のホモポリマーポリプロピレン繊維を使用する。前記繊維はＳＡＰ／トウ繊維マトリックスを通過する流体の流れに対して最小限の抵抗を提供し、それにより流体がＳＡＰによって吸収されるために最小限のドエルタイム（ｄｗｅｌｌ  ｔｉｍｅ）しか提供しない。
【０００９】
よって、コアが排泄された流体を漏出なく直ちにかつ効率的に吸収するように構成され、かつ長期間にわたって排泄された流体を保持する場合でも濡れ感のない使い捨て吸収性製品の必要性がある。
【００１０】
下着、おむつなどのような既存の吸収性製品に関する別の課題は、それらの製品が着用者の外形に緊密に適合し、かつ排泄された流体が漏れ出ないようにそれらの流体を収容できることである。その目的のために、そのような製品は、様々な種類の伸縮自在にするデザインを用いている。具体的には、従来の使い捨て吸収性衣類用の伸縮自在にするデザインは再使用可能な下着と同一のアプローチに従う、つまり、ウエストバンドおよびウエスト領域は「ジョッキー」ショーツ、ボクサーショーツまたは女性用パンティーなどの従来の下着のように伸縮自在にされている。加えて、これらの製品は浸出物を吸収することを要求されるため、股領域における脚領域の伸縮自在化（ｅｌａｓｔｉｃｉｚａｔｉｏｎ）が必要とされ、また適当とされる。これは２つの異なる弾性過程（ｅｌａｓｔｉｃ  ｐｒｏｃｅｓｓｅｓ）、材料および材料の適用、ならびに製品設計アプローチをもたらし、それがより高価で複雑なデザインを生じる。この「クラッチングアプローチ（ｃｒｕｔｃｈｉｎｇ  ａｐｐｒｏａｃｈ）」は、初期および時期尚早の漏出、すなわちその可能な総設計容量未満で製品の漏出をもたらす。
【００１１】
さらに、木材フラッフパルプを含有する今日の使い捨て吸収性製品の厚さ、およびパルプ繊維化技術における最新技術は、現在の綿の下着より著しく厚い吸収性製品を生じる。これは、普通の衣服またはそれらの通常サイズの普通の衣類を着用することができないようにする、身体に対してより厚い製品をもたらす。加えて、そのような製品の厚みの増大は、保管費、輸送費および取扱費の増大、および小売展示空間の増大をもたらす。
【００１２】
従来の製品は、今日、存在するＳＡＰに依存する以外に、臭気管理に対処するため、または褥瘡、発疹または炎症を低減するために、付加的な添加剤を有していない。
【発明の概要】
【発明が解決しようとする課題】
【００１３】
従って、従来技術の上記の不都合に対処する吸収性下着の必要性が存在する。本発明はそれらの要求に対処する。
【課題を解決するための手段】
【００１４】
本発明の一態様によると、吸収性アセンブリが提供される。この吸収性アセンブリは、生物からの浸出物を吸収および保持するために生物によって着用される製品に使用するために構成されている。吸収性アセンブリは、基本的に、繊維もしくは不織布の層の間に多数の介在空間（ｉｎｔｅｒｓｔｉｔｉａｌ  ｓｐａｃｅｓ）を有する複数の繊維もしくは不織布の分離層またはそれらの組合せから形成されたコアを備える。このコアは第１部分および第２部分を有する。第１部分は、少なくとも、コアの第１部分の介在空間または不織布の層と流体が流れるように連通する複数の遅効性だが高吸収容量のＳＡＰ（ｓｌｏｗ  ａｃｔｉｎｇ  ｂｕｔ  ｈｉｇｈ  ａｂｓｏｒｐｔｉｏｎ  ｃａｐａｃｉｔｙ  ＳＡＰ）を含有する。コアの第２部分は、コアの第２部分の介在空間または不織布の層と流体が流れるように連通する複数の速効性だが低吸収容量のＳＡＰ（ｆａｓｔ  ａｃｔｉｎｇ  ｂｕｔ  ｌｏｗｅｒ  ａｂｓｏｒｐｔｉｏｎ  ｃａｐａｃｉｔｙ  ＳＡＰ）を含有する。コアの第１部分とコアの第２部分とは、互いに流体が流れるように連通している。吸収性アセンブリは、生物によって着用されるように構成され、例えば、ブリーフのような下着に組み込まれており、コアの第１部分は前記生物の会陰領域に向かい合って配置される身体に面する側面を形成し、コアの第２部分は前記生物の会陰領域から離反して配置される遠隔側面を形成する。前記生物によって排泄された流体は、速効性ＳＡＰおよび遅効性ＳＡＰに吸い上げられ（ｗｉｃｋｅｄ）、流体は速効性ＳＡＰによって直ちに迅速に吸収され、一方、遅効性ＳＡＰは速効性ＳＡＰから流体を脱着するか、または奪い去る。
【００１５】
吸収性アセンブリのコアは合成トウ、例えばポリプロピレントウから形成され得、ＳＡＰはいずれも前記トウ中の介在空間内に散在し、コアは、包装材、例えば非吸収性の不織布材料中に包装され、ＳＡＰがコアに対して移動しないことを保証するためにキルティング加工されている。これに代わって、ＳＡＰは、コアの身体に面する側面上には遅効性ＳＡＰが位置し、コアの反対側面上には速効性ＳＡＰが位置する状態で、前記トウの表面上に固定されてもよい。
【００１６】
別の代替案は、ＳＡＰの２つ以上の層が混合するのを防止するために、不織布またはティシュー、またはエアレイドなどで分離されたＳＡＰである。または、これに代わって、ＳＡＰは、包装されていてもよいし、包装されていなくてもよい不織布の単一層または多層によって分離されていてもよい。
【００１７】
本発明の１つの好ましい態様によれば、吸収性アセンブリは使い捨て吸収性衣類、例えばブリーフ、の一部を形成する。包装されたコアは、複数の山および谷を有する波形体または波状体（ｕｎｄｕｌａｔｉｎｇ  ｂｏｄｙ）に形成され、吸収性アセンブリは谷において使い捨て下着に固定される。使い捨て吸収性衣類は、コアの身体側（ｂｏｄｙ−ｓｉｄｅ）の上に配置され、コアと生物との間に挟まれる流体収集層を備える。また、使い捨て吸収性衣類は、コアの遠隔側面上またはＳＡＰ層同士の間に、吸収性流体処理層、例えば吸収性ティシュー、エアレイド、または軟質化（ｓｏｆｔｅｎｅｄ）もしくは軟化された（ｔｅｎｄｅｒｉｚｅｄ）非繊維化パルプシート（ｎｏｎ−ｆｉｂｅｒｉｚｅｄ  ｐｕｌｐ  ｓｈｅｅｔ）などを含んでいてもよい。
【００１８】
さらに、使い捨て吸収性衣類は、吸収性アセンブリ内に捕捉した任意の流体の臭気を低減するか、またはそのような臭気を隠蔽するためのマイクロカプセル化粒子を含んでいてもよい。マイクロカプセル化粒子は、臭気除去または隠蔽剤のすべてが、吸収性アセンブリによる初期の流体吸収の際には放出されないが、後続の流体吸収に際には放出されるように、少なくとも２レベルのカプセル化を有する。使い捨て下着はまた抗微生物処理剤を含んでいてもよい。さらに、使い捨て下着は、吸収性アセンブリが着用者からの流体を吸収した時を示す濡れ検知器を備えていてもよい。
【００１９】
本発明の別の好ましい態様によれば、使い捨て吸収性下着、例えば成人用ブリーフが提供される。下着は、基本的に、シャーシと、吸収コアと、サスペンションシステムとを備える。シャーシは、布状の不織通気性材料（ｃｌｏｔｈ−ｌｉｋｅ，  ｎｏｎ−ｗｏｖｅｎ，  ｂｒｅａｔｈａｂｌｅ  ｍａｔｅｒｉａｌ）のシートを含み、シートは前部、後部および中間部を有する。前部は、前上縁部と、一対の前側縁部とを含む。後部は、後上縁部と、一対の後側縁部とを含む。中間部は一対の中央側縁部を含み、中央側縁部の各々は、ブリーフの各脚開口部を形成するために人間工学的に賦形された凹部を備える。吸収コアは中間部においてシート上に位置する。サスペンションシステムは複数の弾性部を備え、それらの弾性部の各々は頂端部と、頂端部のほぼ反対側に配置された末端部とを備える。末端部の幅は、頂端部の幅より実質的に大きい。弾性部は頂端部と末端部との間で伸縮可能であり、この部分が引き伸ばされるときの伸縮力は頂端部に集中し、末端部の幅に沿って広がる。弾性部の第１部分はシャーシのシートに固定され、第１部分の頂端部はシャーシシートの第１側縁部の凹部に位置し、第１部分の末端部は第１側縁部に隣接したシャーシシートの前上縁部に隣接して終了する。弾性部の第２部分はシャーシのシートに固定され、第２部分の頂端部はシャーシのシートの第２側縁部の凹部に位置し、第２部分の末端部は第２側縁部に隣接したシャーシのシートの前上縁部に隣接して終了する。弾性部の第３部分はシャーシのシートに固定され、第３部分の頂端部はシートの第１側縁部の凹部に位置し、第３部分の末端部は第１側縁部に隣接したシャーシのシートの後上縁部に隣接して終了する。弾性部の第４部分はシャーシのシートに固定され、第４部分の頂端部はシャーシのシートの第２側縁部の凹部に位置し、第４部分の末端部分は第２側縁部に隣接したシャーシシートの後上縁部に隣接して終了する。弾性部のそのような構成は、下着が着用されるときに、サスペンションシステムが、シャーシをその脚開口部からシャーシの上端に向けて引き上げることを可能にする。
【００２０】
本発明のさらに別の好ましい態様によれば、使い捨て吸収性下着、例えば成人用ブリーフが提供される。下着は、基本的に、シャーシと、吸収コアと、解放可能に固定可能な固定システムとを備える。シャーシは、布状の不織通気性材料のシートを含み、シートは前部、後部、および中間部を有する。前部は、前上縁部と、一対の前側縁部とを含む。後部は、後上縁部と、一対の後側縁部とを含む。中間部は一対の中央側縁部を含み、中央側縁部の各々は、下着の各脚開口部を形成するために人間工学的に賦形された凹部である。吸収コアは中間部においてシャーシ上に位置する。解放可能に固定可能な固定システムは、前側縁部上に位置する粘着性コーティングと、後側縁部に位置する粘着性コーティングとを備える。前側縁部上の粘着性コーティングは、後側縁部上の粘着性コーティングに開放可能に固定されるように構成されている。
【００２１】
本発明の別の好ましい態様によれば、使い捨て吸収性下着、例えば成人用ブリーフが提供される。使い捨て吸収性下着は基本的にシャーシおよび吸収コアを含む。シャーシは、布状の不織通気性材料のシートを含み、シートは前部、後部および中間部を有する。前部は、前上縁部と、一対の前側縁部とを含む。後部は、後上縁部と、一対の後側縁部とを含む。前側縁部の各々は、後側縁部の各々に固定される。中間部は一対の中央側縁部を含み、中央側縁部の各々は、各脚開口部を形成するために人間工学的に賦形された凹部である。吸収コアは中間部においてシャーシ上に位置する。前上縁部および後上縁部は、固定された側縁部の固定を破るために人が前上縁部および後上縁部を把持できるようにするために、シール線の上方に指把持領域を提供するように、前上縁部および後上縁部よりもわずかに下方に延びるシール線に沿って互いに固定される。
【図面の簡単な説明】
【００２２】
【図１】本発明に従って構成された使い捨て吸収性物品、この場合は成人用ブリーフ、の１つの例示的な実施形態の平面図であって、前記物品は広げられて示されており、その身体側を見せて平らに置かれている、平面図。
【図２】図１のブリーフに用いられる１つの例示的な吸収性アセンブリの拡大断面図。
【図３Ａ】図１および図２の吸収性アセンブリのコアに用いることができる様々に賦形された繊維の一連の各拡大断面図。
【図３Ｂ】図１および図２の吸収性アセンブリのコアに用いることができる様々に賦形された繊維の一連の各拡大断面図。
【図３Ｃ】図１および図２の吸収性アセンブリのコアに用いることができる様々に賦形された繊維の一連の各拡大断面図。
【図３Ｄ】図１および図２の吸収性アセンブリのコアに用いることができる様々に賦形された繊維の一連の各拡大断面図。
【図３Ｅ】図１および図２の吸収性アセンブリのコアに用いることができる様々に賦形された繊維の一連の各拡大断面図。
【図３Ｆ】図１および図２の吸収性アセンブリのコアに用いることができる様々に賦形された繊維の一連の各拡大断面図。
【図３Ｇ】図１および図２の吸収性アセンブリのコアに用いることができる様々に賦形された繊維の一連の各拡大断面図。
【図３Ｈ】図１および図２の吸収性アセンブリのコアに用いることができる様々に賦形された繊維の一連の各拡大断面図。
【図３Ｉ】図１および図２の吸収性アセンブリのコアに用いることができる様々に賦形された繊維の一連の各拡大断面図。
【図３Ｊ】図１および図２の吸収性アセンブリのコアに用いることができる様々に賦形された繊維の一連の各拡大断面図。
【図３Ｋ】図１および図２の吸収性アセンブリのコアに用いることができる様々に賦形された繊維の一連の各拡大断面図。
【図３Ｌ】図１および図２の吸収性アセンブリのコアに用いることができる様々に賦形された繊維の一連の各拡大断面図。
【図３Ｍ】図１および図２の吸収性アセンブリのコアに用いることができる様々に賦形された繊維の一連の各拡大断面図。
【図３Ｎ】図１および図２の吸収性アセンブリのコアに用いることができる様々に賦形された繊維の一連の各拡大断面図。
【図３Ｏ】図１および図２の吸収性アセンブリのコアに用いることができる様々に賦形された繊維の一連の各拡大断面図。
【図３Ｐ】図１および図２の吸収性アセンブリのコアに用いることができる様々に賦形された繊維の一連の各拡大断面図。
【図３Ｑ】図１および図２の吸収性アセンブリのコアに用いることができる様々に賦形された繊維の一連の各拡大断面図。
【図３Ｒ】図１および図２の吸収性アセンブリのコアに用いることができる様々に賦形された繊維の一連の各拡大断面図。
【図３Ｓ】図１および図２の吸収性アセンブリのコアに用いることができる様々に賦形された繊維の一連の各拡大断面図。
【図３Ｔ】図１および図２の吸収性アセンブリのコアに用いることができる様々に賦形された繊維の一連の各拡大断面図。
【図３Ｕ】図１および図２の吸収性アセンブリのコアに用いることができる様々に賦形された繊維の一連の各拡大断面図。
【図３Ｖ】図１および図２の吸収性アセンブリのコアに用いることができる賦形された繊維の等角図。
【図４】本発明に従って構成されたキルティング加工されたコアアセンブリの平面図。
【図５】図１に示すブリーフのシャーシのようなシャーシに固定されて示された、本発明に従って構成された波形コアアセンブリの一部の等角図。
【図６】図２に類似しているが、本発明に従って構成された吸収性アセンブリの別の他の実施形態を示す拡大断面図。
【図７】図２および図６に類似しているが、本発明に従って構成された吸収性アセンブリの別の他の実施形態をさらに示す拡大断面図。
【図８】図２、図６および図７に類似しているが、本発明に従って構成された吸収性アセンブリの別の他の実施形態を示す拡大断面図。
【図９】図２、図６、図７および図８に類似しているが、本発明に従って構成された吸収性アセンブリの別の他の実施形態をさらに示す拡大断面図。
【図１０】本発明に従って構成された他の収集層の拡大上面図。
【図１１】本発明に従って構成された別の他の収集層の拡大上面図。
【図１２】本発明に従って構成された吸収性アセンブリの別の他の実施形態をさらに示す図２および図６〜図９に類似した拡大断面図。
【図１３Ａ】その伸張状態ある弾性積層体を示す弾性積層体の等角図。
【図１３Ｂ】図１３Ａのそれに同様であるが、波形または非伸長状態にある積層体を示す等角図。
【発明を実施するための形態】
【００２３】
ここで図面を参照すると、図面では同一の参照文字は同一の部品を指しており、図１には使い捨て吸収性物品、例えば下着、の１つの例示的な実施形態が示されている。下着２０は、ヒト、例えば成人、によって衣類の下に着用されて、快適に着用でき、着脱し易い構造で、優れた流体吸収および他の能力を提供するように構成され、さらに衣類の下に着用したときに事実上気付かれないように非常に薄いブリーフの形態にある。
【００２４】
ここで図１の例示的な衣類２０は、成人用ブリーフの形態にあるものとして示され、記載されているが、後に記載する特徴の多くを用いて、特に乳幼児に適するように、例えば、おむつの形態となるように、容易に変更することができることを指摘しておきたい。実際、適当な変更により、使い捨て吸収性物品は、ペットに使用するために構成することができる。さらに、極めて重大なことに、使い捨て吸収性物品の様々な構成要素の多くは、単独で、または互いに組み合わせて、新規であり、様々な他の種類の吸収性製品、例えば婦人衛生パッド、パンティーライナー、包帯などにかなりの有用性を提供する。
【００２５】
図１において最もよく分かるように、ブリーフ２０は、基本的に、シャーシ２２と、吸収性アセンブリ２４とを備える。シャーシ２２の詳細は後で記載する。ここでは、シャーシ２２は伸縮自在なウエストバンド２６、弾性サスペンションアセンブリ３０、および解放可能に固定可能な付着システム３２を備えると述べるにとどめる。例示的な下着２０はまた、臭気低減システム、処理システム、および濡れ検知システム（すべて後述する）も備える。臭気低減システム、処理システムおよび濡れ検知システムは、吸収性アセンブリに組み込まれていてもよいし、または他の場所、例えば、シャーシ自体の中に位置してもよい。
【００２６】
シャーシ２２は、基本的に、外側シートまたはシェルと、内側シートとを備える。外側シートまたはシェルは、０．５〜０．９ミルのポリプロピレンまたはポリエチレンフィルムなどの材料のようなバリアフィルムにラミネートされた布状の不織布から形成される。このようなフィルムは、通気性材料（ｂｒｅａｔｈａｂｌｅ  ｍａｔｅｒｉａｌ）のものであるが、漏出を防止するために液体不透過性である必要があり、例えば、押し出し被覆ＳＭＳ（ｅｘｔｒｕｓｉｏｎ  ｃｏａｔｅｄ  ＳＭＳ）などである。内側シートは、シャーシの「身体側」シートを形成し、不織通気性材料、例えばスパンメルト（ｓｐｕｎｍｅｌｔ）  ポリプロピレンまたはスパンメルト  ポリエチレンまたはスパンメルト  ポリエステルなどから形成される。内側シートおよび外側シートは同様な大きさおよび形状に形成されており、内側シートが外側シート上に配置されてシャーシを形成する。シャーシは、前部４０、後部４２、および中央部４４を備える。前部は、前上縁部４０Ａと、一対の前側縁部４０Ｂ，４０Ｃとを含む。後部４２は後上縁部４２Ａと、一対の後側縁部４２Ｂ，４２Ｃとを含む。中央または中間部４４は一対の中央側縁部４４Ａ，４４Ｂを含んでおり、中央側縁部４４Ａ，４４Ｂの各々は、シャーシの側縁部同士が互いに固定されてブリーフを形成するときに、ブリーフの脚開口部を形成する凹部である。各脚開口部は、快適にするために、着用者の身体の接触部分にぴったりと沿って、ブリーフからの排液の漏出を最小限にするように構成されている。さらにそのような目的のために、脚開口部を形成する中央側縁部４４Ａ，４４Ｂは弾性レッグカフ（図示せず）を形成するために伸縮自在にされている。伸縮自在なレッグカフを構成する構成要素の詳細は後述する。
【００２７】
従来と同様に、前側縁部４０Ｂ，４０Ｃに隣接するシャーシ２２の部分は、一般にシャーシの前部「耳部」と称されるものを形成し、一方、後側縁部４２Ｂ，４２Ｃに隣接しているシャーシの部分は、シャーシの後部耳部を形成する。シャーシのそれぞれの前部耳部は、シャーシのそれぞれの後部耳部によって若干重ね合わされ、解放可能に固定可能な付着システム３２によって、ともに解放可能に固定され、それによりブリーフが着用者に対して適所に装着されたときに、シャーシの各脚開口部を形成するように構成されている。そのような解放可能に固定可能な付着システムの詳細についても後述する。
【００２８】
図２において最もよく分かるように、吸収性アセンブリ２４は、基本的に、吸収コア４６と、包装材４８とを備える。例示的な実施形態において、吸収性アセンブリはまた、セルロースの吸収性底部流体処理層（ｃｅｌｌｕｌｏｓｉｃ  ｂｏｔｔｏｍ  ｆｌｕｉｄ  ｍａｎａｇｅｍｅｎｔ  ｌａｙｅｒ：ＢＦＭＬ）５０（後述する）と、流体移送または収集層５２とを備える。
【００２９】
吸収コア４６は、排泄された流体浸出物、例えば尿、を受容し、保持するように構成されている。吸収コア４６は、基本的に、少なくとも２つの作用が異なるＳＡＰまたはＳＡＰ混合物が配置されたマトリックスを形成する不織繊維構成物を含む。本発明の１つの例示的な好ましい態様によれば、コアマトリックスは合成トウ、または不織布、またはそれらの組合せ、例えばポリプロピレンから形成されている。複数の遅効性だが高吸収容量のＳＡＰ５６および複数の速効性だが低吸収容量のＳＡＰ５８は、コアマトリックス中、またはそのコアマトリックス上のいずれかに位置する。ＳＡＰ５６およびＳＡＰ５８を有するコアマトリックスは、包装材４８内に包囲されてコアアセンブリ５４を形成する。包装材４８の構造については後述する。
【００３０】
吸収コア４６は、基本的に、例えばポリプロピレンなどの合成トウから形成された上側または「身体側」部分４６Ａと、同一の材料から形成された下側部分または「シェル側部分」４６Ｂとを備える。コアマトリックス４６の総厚は約１０ｍｍであるが、吸収性アセンブリ２４の用途によって、より薄くてもよいし、またはより厚くてもよい。コアを構成するトウ繊維は、コアの平面に対してほぼ平行に延びており、トウの繊維間には衣類２０の着用者によって排泄される流体を受容するための無数の空の介在空間が位置する。遅効性だが高吸収容量のＳＡＰ５６は、コアの「身体側」部分４６Ａ内に位置し、コアのそのような部分を構成するトウ材料の間隙内に分散しており、一方、速効性だが低吸収容量のＳＡＰ５８は、コアのシェル側部分４６Ｂを構成するトウ材料の間隙内に分散している。２つの部分４６Ａ，４６Ｂは、同一または異なる材料の別個の構成要素であってもよいし、または単一構造であってもよい。
【００３１】
本発明の吸収コア４６の別の例示的な実施形態において、遅効性ＳＡＰ５６は、単一または共通コア４６の身体側面４６Ａの上に配置（例えば、粘着的に固定）されており、一方、速効性ＳＡＰ５８はコアマトリックスの反対側のシェル側面４６Ｂ上に配置（例えば粘着的に固定）されている。
【００３２】
いずれの場合も、二種類のＳＡＰを隔離することは、コア４６が許容可能な吸収速度および許容可能な総容量（ｔｏｔａｌ  ｃａｐａｃｉｔｙ）の双方を有するだろうことを保証する。具体的には、速効性ＳＡＰは流体を直ちに迅速に吸収し、一方、遅効性の高吸収容量ＳＡＰは、特に圧力下において、速効性ＳＡＰから流体を脱着するか、または奪い去る。また、一方または双方のＳＡＰは染色されていてもよいし、着色されていてもよいし、または、例えば水酸化ナトリウム（ＮａＯＨ）の代わりに水酸化アンモニウム（ＮＨ３ＯＨ）などのアンモニアに基づいた触媒を用いて、ＳＡＰを触媒するか、または架橋するか、または中和するように選択された架橋剤による天然有色であってもよい。これは真っ白とは異なるコア外観を生じるが、より高い性能レベルをもたらす。
【００３３】
コアの繊維の流体の流れに対する抵抗を増大するために、コアの繊維は図３Ａ〜図３Ｕおよび図３Ｖに示すように賦形されてもよい。具体的には、参照番号６０によって示すコアの繊維は、図３Ａに示すように、滑らかな五角形の断面形状を有する。コアの繊維は、図３Ｂに示すように、湾曲形（ｃｕｒｌ）の断面形状を有する。コアの繊維は、図３Ｃに示すように、八角形の断面形状を有する。コアの繊維は、図３Ｄに示すように、三角形の断面形状を有する。コアの繊維は、図３Ｅに示すように、六角星形（ｓｉｘ  ｓｉｄｅｄ  ｓｔａｒ）の断面形状を有する。コアの繊維は、図３Ｆに示すように、五角星形（ｆｉｖｅ  ｓｉｄｅｄ  ｓｔａｒ）の断面形状を有する。コアの繊維は、図３Ｇに示すように、滑らかな二十四辺体（ｔｗｅｎｔｙ  ｆｏｕｒ  ｓｉｄｅｄ  ｏｂｊｅｃｔ）の断面形状を有する。コアの繊維に対する他の断面形状も図３Ｉ〜３Ｖに示すように企図される。
【００３４】
繊維６０は、それらの繊維が縮む（ｐｕｃｋｅｒ）か、または他の場合には非平滑面を有するようにする無機添加剤のような添加剤の使用によって賦形される。これに代わって、繊維６０はまた、それらの表面テクスチャーを増大するために電気または放射線によって電子的に処理されてもよい。これらの処理の目的は、流体の移動に対する抵抗を増大して、半径方向の流体の吸い上げ（ｗｉｃｋｉｎｇ）を遅延させて、長手方向においてより大きな流体の吸い上げを得ることにより、コアの利用を増大する。
【００３５】
コア４６の他の実施形態は、ポリエチレン、または二成分ポリプロピレン／ポリエチレンブレンド、または三成分繊維の使用を伴う。多数のフィラメント繊維の他の組合せが、流体移動および吸い上げの改善を支援するのに適当である。高吸水性繊維（Ｓｕｐｅｒ  ａｂｓｏｒｂｅｎｔ  ｆｉｂｅｒｓ：ＳＡＦ）もまたコアにおいて用いられてもよいが、ＳＡＦ繊維はそれらの固有の吸収性の機構および性質により、より低い容量を有するため、依然としてより高容量のＳＡＰ粒子とともに用いられるべきである。
【００３６】
上述したように、コア４６は、好ましくは包装材４８内に包装されて、コアアセンブリ５４を形成する。包装材は、ＳＡＰがコアから脱け出したり、または他の場合にはコアから退出したりしないように、ＳＡＰをコア４６内に保持するように機能する。具体的には、合成熱可塑性フィラメント繊維コアでは、コアは約１０ｇｓｍの坪量を有するスパンボンドポリプロピレン不織布のような同様の熱可塑性繊維網の形態にある包装材によって包装される。これは、ＳＡＰがフィラメント繊維マトリックスから脱落しないことを保証するために、約８ｇｓｍに及んでもよいし、または１３、１５または２０ｇｓｍ以上に増大されてもよい。（単一の種類のＳＡＰを内部に有するコアのまわりにティシュー包装体を用いる従来技術を特徴付けていたような）ティシュー包装体の代わりに熱可塑性包装材を用いることによって、コアマトリックスおよび周囲の包装材は、構造物をキルティング加工して、キルティング加工された吸収コアアセンブリを生じるために、複数の接合線またはシール線に沿って熱シールまたは超音波シールされる。
【００３７】
キルティング加工された吸収コアアセンブリの例示的な１つの例を図４に図示し、参照番号７０によって示す。よって、そのような図に見られるように、キルティングのパターンは、ダイヤモンドパターン７２の形態にある。ダイヤモンドパターン７２、または任意の他の所望のキルティングパターンは、包装されたコアマトリックスを超音波エンボス加工することにより（または、熱的エンボス加工、機械的エンボス加工、接着エンボス加工（ａｄｈｅｓｉｖｅ  ｅｍｂｏｓｓｉｎｇ）などのような他のいくつかのエンボス加工技術を用いて）形成される。包装されたコアマトリックスの端部はダイヤモンドキルトパターンを継続してもよいし、または包装されたコアの各端部の縁に沿ったシール線によって閉鎖されていてもよい。理想的には、ダイヤモンドパターン接合領域は溶着領域において０．３２ｃｍ（１／８インチ）以下の厚さであり、かつダイヤモンドパターン自体は、長さ約２．５４〜５．０８ｃｍ（１〜２インチ）および幅約１．２７ｃｍ（１／２インチ）であるが、所望の製品外観によって、より幅広またはより小型の設計が用いられてもよい。ダイヤモンドパターンが開示されているが、マトリックスを通るＳＡＰの移動を防止するか、または最小限にするために各ポケットを形成する他のキルティングデザインも用いられてもよい。加えて、好ましい接合自体は、連続していないが、間欠的または離散的な性質のものであってもよい。この点に関して、前記接合線は、粉末の乾燥したＳＡＰがコアから脱け出すことができないことを保証するのに十分な領域範囲（ａｒｅａ  ｃｏｖｅｒａｇｅ）を有するだけでよい。よって、接合強度は、乾燥したＳＡＰが外に脱け出さないことを保証するのに十分でありさえすればよいが、容量が満杯になり始めるか、または満杯に近づいた場合に、ＳＡＰが膨潤すると破断するのに十分に弱くてもよい。そのような動作は、超音波接合領域に捕捉された粒子を含むすべてのＳＡＰを最大限に使用することを保証する。ＳＡＰは、今日、吸収性製品に用いられているほとんどのＳＡＰの熱可塑性により、そのような領域内に捕捉される。また、吸収コア全体を一度にキルティング加工するか、または製造時に各ＳＡＰ層が別々にキルティング加工されることが企図され、そのキルティング加工された構造物中には収集層が存在してもよいし、または存在しなくてもよい。次に流体の処理を支援するように選択された収集層に応じて、２つ以上のキルティング加工層が、互いに対して整合されていてもよいし、または整合されていなくてもよい。
【００３８】
図２において最もよく分かるように、身体側に対面する吸収コア４６の最上層の包装材４８は二重の厚みのものであることが好ましい。従って、包装材４８の２つの端部分４８Ａ，４８Ｂはコアの上面上においてそれぞれ重なり合っている。これは合成層を身体からより引き離すことを支援し、従来の流体処理層、例えば従来の吸収性製品に見られる収集または移送層の必要性にとって代わる。コア４６の身体側における包装材４８の二重層はまた、乾燥したＳＡＰ粒子を感じないようにするのを助ける付加的な層であるとともに、着用者の身体から濡れたコアをさらに引き離すことも提供する。
【００３９】
図１において最もよく分かるように、吸収コアアセンブリ５４は、概して矩形形状であり、着用者の会陰に隣接するインサルトゾーン（ｉｎｓｕｌｔ  ｚｏｎｅ）、すなわち、尿または糞便がブリーフと初期接触を果たすゾーンを包囲するように、シャーシの中間部上に延在する。
【００４０】
以前に述べたように、ブリーフ２０には流体移送または収集層５２が備えられる。流体収集層５２は、インサルトゾーン（着用者の会陰に隣接）の付近の包装されたコアの上面上に配置される。流体収集層はコア内への流体廃棄物の移動を容易にし、処理するために用いられる。そのような目的のために、本願に示される例示的な実施形態において、流体収集層５２はまた、幅および長さが包装されたコアよりも小さい矩形に形成された部材である。流体収集層は、任意の適当な材料の単層または多層である。流体収集層はまた、これらの層の間に、これらの層の下に、またはそれらの多数の組合せにおいて配置されてもよい。
【００４１】
前述したように、ブリーフ２０にはセルロースの吸収性底部流体処理層（ＢＦＭＬ）５０が備えられる。具体的には、ＢＦＭＬ５０は、すべての流体がコア４６のＳＡＰによって完全には吸収されない場合に、その流体がＢＦＭＬ５０によって捕捉されるように、（図２に示すように）コアアセンブリ５４の下に配置される。ＢＦＭＬは好ましくは矩形形状であり、吸収性ティシュー、エアレイドまたは軟質化または軟化された非繊維化パルプシートから形成される。エアレイドは付加的なＳＡＰを含有してもよいし、または含有なくてもよい。コア中のＳＡＰの混合物が初期の排尿を適当かつ迅速に吸収する少なくとも１種のＳＡＰを有する限り、ＢＦＭＬ層は必要とされるべきでない。それほど所望されないが、ＢＦＭＬはまた２つのＳＡＰ層の間に配置されてもよい。この形態では、ＢＦＭＬは、浸出物が瞬時の吸収のために速い層を通って流れることを可能にしなければならないが、中間層がより下位の層の脱着を支援するように、高容量の身体側ＳＡＰ層がこの中間層の脱着を支援することを依然として可能にしなければならない。
【００４２】
さらにコアアセンブリ５４の吸収容量力を増大するために、コアアセンブリ５４は図５に示すように波形加工（ｃｏｒｒｕｇａｔｅｄ）される。具体的には、コアアセンブリは、山７４Ａおよび谷７４Ｂを有する、Ｖ字形構成７４または他の波状配列に波形加工される。波形アセンブリの谷７４Ｂは、小円によって示した領域においてシャーシに、例えばシャーシの外側シェルの内面に、接合される、例えば、粘着的に固定される。これは、コアアセンブリを裏面シートに付着させる平坦な全面付着コーティング（ｆｌａｔ  ｆｕｌｌ  ａｔｔａｃｈｍｅｎｔ  ｃｏａｔｉｎｇ）の代替案である。マイクレキシング（ｍｉｃｒｅｘｉｎｇ）の周知の技術が波形加工（ｃｏｒｒｕｇａｔｉｎｇ）と同一の結果をもたらすために用いられてもよく、包装されたＳＡＰ／繊維コアの超音波ポケット形成またはキルティング加工の前または好ましくは後の付加的なプロセスになる。よって、吸収過程の間、コアに与えられる位置エネルギーは運動エネルギーに迅速に変換され、その運動エネルギーは吸収速度（ｓｐｅｅｄ  ｏｆ  ａｂｓｏｒｂｅｎｃｙ）を劇的に増大させる。
【００４３】
上述したトウコア構造の他の実施形態は、ポリプロピレントウのコアの代わりに不織布収集層、複数の不織布層または同様の材料を用いることである。この構成の目的は、主に合成繊維にして、熱または超音波によって接合可能にすることと、ＳＡＰ粒子間に若干の距離を提供することである。この代替コア構造は参照番号８０によって示され、図６に図示される。そのような構造において、コアは、別個の層である（または示した２つの層を形成するように折り畳まれた単一の層の別個の部分であってもよい）２つの層８２，８４からなる。図２の実施形態のように、２つの異なるＳＡＰがコア内に用いられている。一方は、例えばアクア  キープ（Ａｑｕａ  Ｋｅｅｐ）１０ＳＨ「インスタント  スノー（Ｉｎｓｔａｎｔ  Ｓｎｏｗ）」として販売されている製品に類似した速効性ＳＡＰ５８である。他方は、例えばアクア  キープ  ＳＡ６０として現在販売されているものに類似した遅効性だが高容量のＳＡＰ５６であり、それらの双方とも住友精化によって製造されている。理想的には、２つのＳＡＰは分離されるか、またはコア８０を構成する２つ以上の不織布材料層８２，８４の両側に配置される。コア層およびＳＡＰは電気的に充填されてもよいし、または粘着的に添加されてもよいし、またはウォーターミストによってＳＡＰを不織布材料中の繊維に付着させ、さらにＳＡＰがコアから剥落もしくは脱落するのを防止してもよい。
【００４４】
上述したような包装材４８は、ＳＡＰ／コア体を包囲し、超音波接合されてコア材料に完全性を提供する８〜１５ｇｓｍのポリプロピレンまたはポリエチレンのスパンボンド、またはスパンボンド／メルトブロー層である。そのような超音波接合（または熱接合、圧縮接合、または接着接合）は、好ましくは、ＳＡＰ粒子が折り畳まれたコアの中心に、または折り目線に沿って寄り集まるのを最小限にし、潜在的に防止すべく、ＳＡＰを適所に保持するポケットまたはアイランド（図示せず）を形成するために用いられる。このＳＡＰ粒子の寄り集まった状態は、外側のＳＡＰ粒子が流体を取り込んで、内側の粒子が流体を受容するのを妨げる、または不足させるゲルブロッキングをもたらす。
【００４５】
別の代替コア構造を図７に示す。この実施形態は、コアが単一層を備えること以外は図６の上記の実施形態に類似しており、コア層の上面上にはＳＡＰ５６が添加（例えば、粘着的に固定）されており、コア層の底面上にはＳＡＰ５８が添加（例えば、粘着的に固定）されており、ＳＡＰ／コアのまわりに包装体４６が延在する。図６および図７の実施形態は、図５に示した実施形態に関して上記で検討したように、波形加工（ｃｏｒｒｕｇａｔｉｏｎ）、マイクレキシングなどによってさらに処理されてもよい。
【００４６】
別の代替コア構造を図８に示す。この実施形態は、流体収集層５２が外側不織布包装体と吸収コアの上面との間に配置されているという点を除いて、上記の実施形態に類似している。この設計では、高吸収性だが遅いＳＡＰ５６を有する上側コアは、不織布層１４６によって、より速いＳＡＰ５８を含有する下層から分離されている。この不織布セパレータは、不織布コア包装体４６、例えば１０ｇｓｍまたは同様の材料に相当する。あるいは、単独でまたは他の不織布とともに、例えば８０ｇｓｍまたは同様の材料、またはこれらの２つの坪量の間の特性を有する不織布材料の別の収集層５２であってもよい。
【００４７】
別の代替コア構造を図９に示す。この実施形態は、より遅いＳＡＰ５６およびより速いＳＡＰ５８の２つの層の間にある流体収集層を示している上記の実施形態に類似している。これは、図８で検討した不織布層１４６の代わりになるか、またはその層に追加される。
【００４８】
別の代替コア構造を図１２に示す。この実施形態は２つの収集層５２を用いる。第１または上部収集層５２は包装材４８の重なり合った部分の間に位置する。第２または底部収集層５２は、２つ以上のＳＡＰ層５２，５６の間、例えば、上部ＳＡＰ層５６より下方かつ底部ＳＡＰ層５８より上方に位置する。別の他の実施形態（図示せず）は、コアの下に位置する収集層５２を用いる。上記で検討した他の構造におけるように、不織布包装材４８はコア構造全体を包囲または包装する。ＳＡＰ層が混合しないようにすることを支援するために、１つの不織布分離層１４６が上部ＳＡＰ層５６と底部収集層５２との間に位置し、もう一つの不織布分離層１４６が底部収集層５２と底部ＳＡＰ層５８との間に位置する。これに代わって、２つの分離層１４６を用いる代わりに、それらの分離を維持することを支援するために、ＳＡＰ層が不織布包装材４８内に完全に包装されてもよい。
【００４９】
別の他の実施形態は、図１０に示すように、不織布収集層５２の代わりに、形成された有孔フィルム１４９を用いることである。この材料は、円１５０と、参照番号１５１で識別される長楕円形（ｏｂｌｏｎｇ  ｏｖａｌｓ）とから構成されている。長さ対幅の比は少なくとも４対１である必要があり、１は円および長楕円形の最も狭い幅の大きさを表わす。また４は長楕円形の長さを表わす。理想的には、この比は１０対１を超えない。
【００５０】
図１０に類似した別の他の実施形態を図１１に表わす。これは、長楕円形１５１が直線的に整列する必要はないが、偏倚パターンまたは無作為パターンのものであることを示している。
【００５１】
これらの長楕円形の目的は、コア内への流体の浸透を支援することにある。多くの場合、例えば米国意匠特許第ＵＳ  Ｄ３６２，１２０号等に記載されている材料は、例えば、排泄中の尿がそれらの表面に当たったときに、流出または漏出が生じるであろうほんの小さな穴または細孔を有する。この問題の新規の解決策は、急速な流体の浸透を支援する開放領域を有する一方で、濡れたコアから引き離すことを支援するために、より小さな穴の混合物を有することである。この材料が全く長楕円形のみから形成された場合には、材料は生産ライン上で処理されるためのフィルム強度および完全性を有さない。円と長楕円形との組合せがこの問題を解決する。
【００５２】
フィルム自体は、図１０および図１１に見られるように、切り抜かれた領域を有する二次元の平坦なフィルムである。理想的には、フィルムは、ウォームフィルム材料を用いて、その材料を所望のパターンの有孔スクリーンに吸い込むのではなく、切り抜かれるか、または真空成形される領域を有する成形された三次元材料であるべきである。しかしながら、スクリーンにウォームフィルムを吸い込むと、フィルムは引き入れられる空気によって急速に冷え、三次元的な奥行き（ｔｈｒｅｅ  ｄｉｍｅｎｓｉｏｎａｌ  ｐｅｒｓｐｅｃｔｉｖｅ）を有するフィルムが結果として残る。
【００５３】
そのような新規の成形有孔フィルムの理想的な使用法は、本願に含まれる図２、図６および図７の層５２の代わりである。
認識されるように、本発明に従って構成された前述の使い捨て吸収性物品は、従来技術に対して改善された熱伝導率または熱伝導特性を示す。典型的な従来技術のフラッフに基づいたデザインでは、主にセルロースのコアは濡れたままであり、従って体表面から濡れたコアへと熱を引き出す。コアは通常体温より有意に低いが、周囲温度により近い温度にある。本発明の吸収性物品は、合成のすべてポリマーによるコアを身体のより近くに維持することにより、排泄される流体による濡れが身体からより遠くに維持されることを可能にし、より快適な製品をもたらす。
【００５４】
吸収性下着２０の別の重要な特徴はそのフィット性（ｆｉｔ）である。知られているように、弾性材料は吸収性下着のフィット性にとって重要であり、漏出に直接関係する。下着が緩く、隙間によってだぶついていると、人が下着に排泄したときに、これらの隙間を介した漏出があり得る。下着がきつ過ぎると、穿いたり、着用したりするのが不快になる。また、重要なのは濡れたときのフィット性（ｗｅｔ  ｆｉｔ）である。下着は、２回以上の排尿から３００〜６００ｍＬ（グラム）以上の尿を吸収し、それによって下着が滑ったり落ちたりしやすくなるが、これは下着を着用している人を当惑させる漏出を引き起こし得る。
【００５５】
本発明の下着のフィット性は、図１に示したようなウエスト領域を包囲する弾性要素の使用によって対処される。具体的には、前上縁部４０Ａに隣接しているシャーシの部分および後上縁部４２Ａに隣接しているシャーシの部分は伸縮自在にされており、そのため、シャーシの耳部が互いに固定されてブリーフを形成する場合、シャーシのそれらの伸縮自在部分は結合して、弾性ウエストバンド２６を形成する。この弾性領域は、腰へと拡張されていてもよく、２枚のシート、すなわちシャーシ２２を構成する外側シェルと身体側シートとの間に積層された、弾性要素、例えば、弾性フィラメント、フィルム、網、メルトブロー弾性材料、またはそれらの組合せから構成されている。側面パネルの全体的な伸張をさらに高めるために、弾性積層体は、外側非伸縮性不織布と、内側伸縮性要素とから構成される。図１３Ｂにおいて、積層体は、伸縮性要素１６１が弛緩した、その弛緩または非伸張状態において示されており、不織布は波形にされている（参照番号１６２によって示す）。その伸張状態においては、不織布は、図１３Ａに示すように、平らであり（波形になっていない）、参照番号１６０によって示される。この改善された伸張特徴は、複合材の弾性中心部分との積層前に、非伸縮性不織布をマイクレキシングまたはローレット加工（ｋｎｕｒｌｉｎｇ）することによって得られる。これは、弾性回復を支援するのではなく、複合材の全体的な伸張を潜在的に増大する。別の例は、非伸縮性不織布に小量（例えば１〜１０％、好ましくは５％）のクレイトン（Ｋｒａｔｏｎ）などのような弾性ポリマーを添加して、少しの伸張および潜在的な回復を与えることである。脚領域はまた、一対の脚用弾性部２８を形成する弾性ストランドまたは弾性フィルムタイプの材料の使用によって伸縮自在にされている。加えて、脚開口部は、各伸縮自在レッグカフ１４０によって別々に封止されて（ｇａｓｋｅｔｅｄ）もよい。そのようなレッグカフはさらに尿の流れを妨げ、よって流体収集層が流体をさらに拡散する時間を長くし、それにより流体が吸収される付加的な時間を吸収コアに与える。
【００５６】
下着の上記伸縮自在部分に加えて、下着はまた、以前に特定したサスペンションシステム３０を備える。このシステムはまた、図１において最もよく見られ、ベクトル支持アプローチから弾性支持の必要性に対処する。橋におけるケーブルの敷設のように、弾性部は、下着の脚部切欠き領域４４Ａ，４４Ｂの中心付近の地点に結合し、ウエストバンド２６の領域に向かって外側かつ上方に半径方向に広がっている。具体的には、サスペンションシステムは、股領域において始まり、外側かつ上方に発散する複数の弾性部９０を備える。弾性部の各々は、頂端部９２と、この頂端部のほぼ反対に配置された末端部９４とを備える。末端部９４の幅は、頂端部９２の幅より実質的に大きい。弾性部９０は頂端部と末端部との間で伸縮可能であり、部分が引き伸ばされるときの伸縮力は頂端部で集中し、末端部の幅に沿って広がる。弾性部９０の第１部分はシャーシに固定され、第１部分の頂端部９２はシャーシの第１側縁部の凹部４４Ａに位置し、第１部分の末端部９４はそのような第１側縁部に隣接したシャーシの前上縁部４０Ａに隣接して終了する。弾性部９０の第２部分はシャーシに固定され、第２部分の頂端部９２はシャーシの第２側縁部の凹部４４Ｂに位置し、第２部分の末端部９４は第２側縁部に隣接したシャーシの前上縁部４０Ａに隣接して終了する。弾性部９０の第３部分はシャーシに固定され、第３部分の頂端部９２はシャーシの第１側縁部の凹部４４Ａに位置し、第３部分の末端部９４は第１側縁部に隣接したシャーシの後上縁部に隣接して終了する。弾性部９０の第４部分はシャーシに固定され、第４部分の頂端部９２はシャーシの第２側縁部の凹部４４Ｂに位置し、第４部分の末端部分９４は第２側縁部に隣接したシャーシの後上縁部４２Ｂに隣接して終了する。この配列は、下着が着用されるときに、サスペンションシステム３０が下着の脚開口部からシャーシの上端に向かってシャーシ２２を引き上げることができ、よって、通常着用時、特に排泄された流体が充填されたときに、下向きに落下するか、または引っ張られる下着の通常の傾向を、内蔵サスペンダーのように、引っ張るか、または抵抗するのを助ける。上述のように、通常の流体の排泄は、１５０ｍＬ〜３００ｍＬ（グラム）超の尿を加える。より長期にわたって着用される場合には、この量は１，０００ｍＬ（グラム）以上で下着の理論上の容量に接近する。これは、股領域に及ぼされる１．１キログラム（２．５ポンド）超の重量に相当する。
【００５７】
サスペンションシステム３０の弾性部９０は様々な方法で形成される。例えば、図１に示した例示的な実施形態では、弾性部の各々は、頂端部分９２から末端部分９４までの扇形配列に広がる複数の弾性フィラメント９６から形成されている。所望により、下着の片側における２つの部分のフィラメント９６は連続していてもよく、その結果、それらのフィラメントは股領域において交差するか、またはほぼ交差して、ウエスト領域に広がる。この後者の配列は連続工程によって下着を製造するのに特に望ましい。本発明の１つの例示的な実施形態によると、フィラメント９６は、シャーシの外側シートまたはシェルの内面に固定される。
【００５８】
別の代替サスペンションアセンブリは、弾性の肉厚領域および肉薄領域をそれぞれ有する側面パネルを使用する。これは、スパンボンド材料などの２枚のシートの間に積層され、構築／製造段階中に下着に付着されるベクトルストレッチのような材料を用いることにより得られてもよい。このアプローチはまた、弾性ウエスト領域および脚部領域の双方に用いられる現在の弾性技術を改善するために用いられる。この弾性ブリッジはまた、キンバリー−クラーク（Ｋｉｍｂｅｒｌｙ−Ｃｌａｒｋ）に譲渡された米国特許第４，８４６，８２３号、同第５，４１５，６４４号および同第５，５９９，３３８号、プロクター  アンド  ギャンブル（Ｐｒｏｃｔｅｒ  ａｎｄ  Ｇａｍｂｌｅ）に譲渡された米国特許第４，６９５，２７８号および同第４，７４３，３４６号に記載されているようなレッグカフとともに用いられる。そのような従来技術の特許のすべての開示は、参照によって本願に援用される。すべての場合において、所望の側面パネル材料は、２４時間当たり少なくとも１００グラムの蒸気透過速度を提供する通気性を有する。
【００５９】
これまでに記載した例示的な下着２０は、シールされた縁部または融着接合された縁部のいずれか、例えば互いに恒久に固定されている側縁部４０Ｂ，４２Ｂおよび側縁部４０Ｃ，４２Ｃを用いることができるが、上述したように、本発明の好ましい実施形態は解放可能に固定可能な付着システム３２を用いる。そのようなシステムについては後で詳細に記載する。ここでは、解放可能に固定可能な付着システムは、基本的に、下着が容易に開放され、誰か他の人によって漏出について確認されることを可能にする一対の解放可能に固定可能なサイドシールを備える。そのような解放可能に固定可能な付着システムの使用は、靴およびソックスなどを脱ぐことなく、下着を着脱することを可能にする。これまで、成人用ブリーフのような下着は、例えば、典型的にはベルクロ  ＵＳＡ、３Ｍまたは他のものによって製造されたフックおよびループ付着のような解放可能に固定可能な留め具を用いてきた。当業者によって認識されるように、フックおよびループ固定システムは高価であり、またフックはそれ自体が堅く、ざらざらしており、皮膚を擦り剥くことがある。フック要素同士が対面して配置されている場合には、皮膚の擦り剥きはそれほど起こりそうにない。フック要素が内側へ対面しているときには、これは、フック要素が誤って固定された場合、またはフック要素が部分的にはじけて開いた場合に、フックが着用者の皮膚と直接接触する可能性を生じる。いずれかの形態において、フック要素はまた、この吸収性衣類の上を被覆するために用いられる任意の衣類に接触することもある。接着テープシステムもまた、再固定能（ｒｅ−ｆａｓｔｅｎａｂｉｌｉｔｙ）を与えるために、過去に用いられてきた。そのようなシステムは、典型的には、接着固定テープと、そのテープの付着ゾーン（ｌａｎｄｉｎｇ  ｚｏｎｅ）とを含む。接着テープはそれ自身が高価であり、非常に堅い場合がある。テープは、一方の側面上に被覆された接着剤を有し、反対側の側面上に剥離コーティングを有するフィルムから構成される。これはまた、剥離コーティングと接着性の裏材とを有するフィルムであるという点で固定テープに類似している剥離テープとともに用いられてもよい。２つのテープの間の主な相違は、剥離テープは吸収性物品の外カバーに付着するように設計されており、固定テープは、非再固定可能な構造のためには外カバー、または再固定できることが所望される場合には付着ゾーンのいずれかに付着するように設計されている点である。付着ゾーンはまた、外カバー側に接着剤コーティングを有するテープ材であり、そのリラプスコーティング（ｒｅｌａｐｓｅ  ｃｏａｔｉｎｇ）は再固定能を支援するように設計されている。付着ゾーンは再固定能を支援するためにシリコーンまたはカーボネートコーティングを有していてもよい。
【００６０】
本発明の解放可能に固定可能な固定システム３２は、ボンデッドシールの代わりに粘着性コーティングを用いることにより、従来技術の上記の不都合を克服する。具体的には、前上縁部４０Ａに隣接する側縁部４０Ｂ，４０Ｃに沿ったシャーシの身体側（内側）シートの耳部の内面上の領域は、その上に粘着性の接着剤コーティング１００を備える。一方、後上縁部４２Ａに隣接する側縁部４０Ｂ，４０Ｃに沿ったシャーシのシェルまたは外側シートの耳部の外面上の対応する領域は、同様の粘着性接着剤コーティング（ｃｏｈｅｓｉｖｅ  ａｄｈｅｓｉｖｅ  ｃｏａｔｉｎｇ）１００を備える。知られているように、粘着性コーティングはそれ自体のみに付着する接着剤である。よって、シャーシのこれらの領域上における粘着性コーティングの使用により、耳部同士が重なり合うかまたは当接する関係に配置されたときに、それらが互いを解放可能に固定することを可能にし、それにより、フック、テープまたは他の余分な材料または異物を必要とすることなく、衣類に再固定能を提供する。さらに、シャーシの粘着性部分は、着用者の外衣または皮膚ではなく、それらの部分自身のみに付着する。これは、フィルムまたは他の補剛材料（ｓｔｉｆｆｉｎｇ  ｍａｔｅｒｉａｌ）の必要性をなくし、コストを低減するとともに、快適さを向上させる。理想的には、この粘着性コーティングは、下着のウエストバンド２６の上部まで延在せず、開放し易くすべく指で把持できるようにするために、上端のわずかに手前で停止する。
【００６１】
使い捨て下着が、開放した側面ではなく、接合された側面パネル有するように選択される場合には、側面を裂開するのを支援するために、上縁部は未接合のままにされるか、または切欠きが追加されることが想定される。理想的には、未接合の上部領域は上端から約１２ｍｍであるが、側面を裂開するのを支援するためには少なくとも５ｍｍが必要とされる。約２５ｍｍは広すぎて、これらの製品では望ましくないウエストバンドの反転（ｒｏｌｌｏｖｅｒ）を許容すると思われる。
【００６２】
知られているように、臭気を低減する技術が吸収性下着において用いられてきたが、成果は限られており、そのような技術はあまり機能し続けない。人が排尿すると、尿はアンモニアおよび他のケトン類を放出する。臭気は薬物治療、摂取した食物などに応じて、さらに増大する。臭気の低減に対する過去のアプローチは、通常、下着に強い香料およびＥＤＴＡまたは重炭酸ナトリウムのような添加剤を添加すること含んでいた。香料は、初期の臭気を隠蔽するのを助けると予想されるが、香料の匂いから着用者がその製品を着用していることが他の人に分かってしまうことがある。さらに、香料が蒸発してしまうと、それはもはや隠蔽剤ではなく、その能力は無効となる。
【００６３】
臭気を隠蔽するためにしばしば用いられる他のアプローチは、通常、細菌増殖の防止に対処するか、またはそれを試みる。これは臭気生成の低減に対する別の機構である。このアプローチは１〜２日後のバクテリアによるアンモニア発生を測定する。抗バクテリアまたは細菌増殖抑制の実施は、吸収性下着が通常着用される初めの４〜６時間内における臭気生成には対処しない。これらのアプローチは単に、いったん下着が廃棄されて、恐らく一日または二日間にわたってごみ箱の中に置かれているときなどの廃棄後の臭気を低減するのに有効である。
【００６４】
本発明は、臭気低減システムの使用により、従来技術のそれらの不都合を克服する。具体的には、そのようなシステムは、基本的に、尿と接触したときに溶解するマイクロカプセル中に香料などの臭気低減剤または隠蔽剤を含有する。臭気の低減または処理をより良好に管理するために、本発明の好ましい実施形態は、少なくとも２レベルのカプセル化を有するマイクロカプセル中に臭気低減剤または隠蔽剤を有することを伴う。そのような構成では、香料または他の臭気隠蔽剤または臭気除去剤のすべてが、尿との最初の接触において完全には放出または溶解しない。これは、ブリーフのような成人用吸収性下着に関して、そのような製品は２回または３回の排尿（ｗｅｔｔｉｎｇｓ）の間にわたって着用されるため、相当に重要である。よって、本発明の一態様によれば、香料の半分は１回の排尿の際に溶解するように設計された単一の厚さでマイクロカプセル化され、他の半分は２回目の排尿後またはその際にのみ溶解するように設計された二重コーティングを有する。好ましい香料は、尿の臭気を隠蔽するランドリーフレッシュ（ｌａｕｎｄｒｙ  ｆｒｅｓｈ）またはウルトラフレッシュ（Ｕｌｔｒａ  Ｆｒｅｓｈ）香料を有する。所望により、他の香料、または香料の混合物が用いられてもよい。
【００６５】
また知られているように、様々な処理剤（ｔｒｅａｔｍｅｎｔｓ）が過去のおむつおよび失禁製品に適用されてきたが、成果は最小限であった。具体的には、流体の浸透を支援するために界面活性剤が用いられ、微小な潰瘍または床ずれを最小限にし、潜在的に防止する試みとして、他の添加剤が内側の身体側ライナーに適用されてきた。そのような処理剤は、皮膚の健康および皮膚のウェルネスを増進する試みとして、マイクロバン（Ｍｉｃｒｏｂａｎ）、および他の抗微生物処理剤等を含む。これらの物質は、通常それらは身体側に接するシートの中心または全面に添加されるので、あまり効率的ではなく、それらは会陰領域に直接接する必要がある。これらの種類の下着は典型的には臀部に対して平らに広がっているので、会陰領域との直接接触は通常起こらない。
【００６６】
本発明の下着２０は、シャーシ２２の身体側織物シートのスパンメルトに添加される処理剤（ｔｒｅａｔｍｅｎｔ  ａｇｅｎｔ）、例えば銀元素、酸化物または炭酸塩のような銀複合体の使用により、従来技術のそれらの不都合を克服する。この織物シートはポリプロピレンまたはポリエチレン、またはポリエステルなどから生成される。添加剤がスパンメルト中に適用されない場合には、添加剤はスパンメルト中および表面上の双方において局所的にまたは部分的に適用されてもよい。所望により、これはトムソン  リサーチ  アソシエイツ  インコーポレテッド（Ｔｈｏｍｓｏｎ  Ｒｅｓｅａｒｃｈ  Ａｓｓｏｃｉａｔｅｓ  Ｉｎｃ．）によって製造されたウルトラフレッシュ（Ｕｌｔｒａ−Ｆｒｅｓｈ）ＳＡＢ−４０のような他の抗バクテリア臭気低減処理剤と、緩衝剤が低ｐＨパルプとして組み込まれる場合にはｐＨ緩衝剤と、ＳＡＰまたは重炭酸ナトリウムなどの他の添加剤とともに用いられてもよい。これは、皮膚に接触する尿のｐＨの管理において最も有効なプロセスである。
【００６７】
下着２０はまた、好ましくは吸収性アセンブリ内に位置するか、または同アセンブリに接触して位置し、かつ電子検出システム（図示せず）の一部を形成する濡れ検知器１２０を備える。濡れ検知器は、サイズが小型であり、着用するのが快適であり、また、導電性液体の存在下にあるときに、電子検出システムに電気を伝導する任意の適当な電子部品を備える。電子検出システムは下着の一部を形成しないが、所望ならば、システムは下着内に、または付属物として下着に、組み込まれてもよい。濡れ検知器は、例えば、ワイヤまたは導電性インクなどを使用することができ、ホイートストンブリッジとして作用することができ、濡れ検知器が導電性流体、例えば尿の存在下にある場合に、警報などを発するように電子検出システム内の回路を完結する。この警報は、老人ホーム（ｎｕｒｓｉｎｇ  ｈｏｍｅ）または認知症専用ユニット（ｄｅｍｅｎｔｉａ  ｕｎｉｔ）における介護者、看護師、または看護助手などのユーザーまたは製品を監視している誰かのいずれかに、下着が濡れているという信号を送る。現在の濡れ検知システムにおける１つの問題は、成人用ブリーフのような使い捨て吸収性製品が２回以上、通常は少なくとも２回または３回以上の排尿を保持するように設計されているということである。下着がたった１回の排尿後に作動される電子検出システムに接続されている場合には、下着は十分に利用されず、消費者はこれらの早期の警告を有する製品に対して実質的により多くの金銭を払うことになる。好ましいのは、その濡れ警報システムが作動されるまでに、少なくとも２回の排尿を受け入れる吸収性衣類である。本発明は、上述したマイクロカプセル化香料に類似したコーティングを用いることにより、その目的を達する。そのように、警報の作動は、コーティングを溶解して回路を作動させるために、２回の排尿による濡れ（ｕｒｉｎａｔｉｏｎ  ｗｅｔｔｉｎｇｓ）を必要とする。これは、尿と混合したときにパルプから生じる様々な付加物を有する繊維化されたフラッフコアを有さないという点で、本発明では達成するのがより容易である。これらは回路を汚染し、検出をはるかにより困難にする。
【００６８】
下着を取り除くために下着のシールされた縁部を開放するのを支援するために、最上部または最後の０．６４ｃｍ（１／４インチ）は未接合のままにされる。これは、ユーザーが、交換をより容易にするために、より容易に側面を引き裂き始めることができるようにし、それにより、汚れた製品を脚に沿って下げて、足から引き抜かなくて済むようにもする。関節炎などのユーザーの手の状態に応じて、この非束縛領域はさらに増大されてもよいが、２．５４ｃｍ（１インチ）を超えるべきではない。
【００６９】
また、製品が濡れまたは排尿を経験したかを判定するのを支援するために、従来より、視覚的な濡れインジケータが外部から視認されるように用いられてきた。これは、製品が幼児用おむつの場合のように、任意の外衣と共に着用されない場合には適当である。この特徴は、製品が汚されたことを親または介護者が知ることを可能にする。成人は外衣を着用するので、これは、家庭、または介護施設もしくは老人ホームのいずれかにおける成人には適当なデザインではない。その目的のためには、本発明の好ましい実施形態は、ブリーフ２０のように、従来の濡れインジケータ１３０を備える。しかしながら、濡れインジケータ１３０は、ウエストバンドに隣接する下着の内側の前面に取り付けられる。そのような方法では、ユーザーはウエストバンドを外側へ引っ張り、製品が尿によって濡れているかを確認する。これは皮膚に対する排尿または冷たさの感覚を制限する糖尿病または他の疾患を有する場合には特に重要である。
【００７０】
これ以上の詳細を要することなく、前記は本出願人の発明を完全に明示しているので、現在または将来の知識を適用することによって、他者が本発明を様々な使用条件下における使用のために採用し得る。
【図１】
0006392311.tif 000002
【図２】
0006392311.tif 000003
【図３Ａ】
0006392311.tif 000004
【図３Ｂ】
0006392311.tif 000005
【図３Ｃ】
0006392311.tif 000006
【図３Ｄ】
0006392311.tif 000007
【図３Ｅ】
0006392311.tif 000008
【図３Ｆ】
0006392311.tif 000009
【図３Ｇ】
0006392311.tif 000010
【図３Ｈ】
0006392311.tif 000011
【図３Ｉ】
0006392311.tif 000012
【図３Ｊ】
0006392311.tif 000013
【図３Ｋ】
0006392311.tif 000014
【図３Ｌ】
0006392311.tif 000015
【図３Ｍ】
0006392311.tif 000016
【図３Ｎ】
0006392311.tif 000017
【図３Ｏ】
0006392311.tif 000018
【図３Ｐ】
0006392311.tif 000019
【図３Ｑ】
0006392311.tif 000020
【図３Ｒ】
0006392311.tif 000021
【図３Ｓ】
0006392311.tif 000022
【図３Ｔ】
0006392311.tif 000023
【図３Ｕ】
0006392311.tif 000024
【図３Ｖ】
0006392311.tif 000025
【図４】
0006392311.tif 000026
【図５】
0006392311.tif 000027
【図６】
0006392311.tif 000028
【図７】
0006392311.tif 000029
【図８】
0006392311.tif 000030
【図９】
0006392311.tif 000031
【図１０】
0006392311.tif 000032
【図１１】
0006392311.tif 000033
【図１２】
0006392311.tif 000034
【図１３Ａ】
0006392311.tif 000035
【図１３Ｂ】
0006392311.tif 000036